(57)【要約】【課題】部品点数の削減、小型化を実現し、効率よく原稿面を照明する照明ユニットおよびそれを用いた画像読取装置、画像形成装置を提供する。【解決手段】原稿台に置かれた原稿を照明する照明光源と、該照明光源の照明による原稿からの反射光を結像する結像光学素子と、該結像光学素子による結像を受光し電気信号に変換する光電変換素子と、前記結像光学素子に前記反射光を導く反射部材とを備えてなる画像読取装置において、照明光源（有機ＥＬ（１３））と反射部材（導光用反射部材１５）とを、透明基板１１に一体に形成すると共に、該透明基板に原稿を照明する照射口（照射面１４）を備えた。【選択図】図３
2009218705.tif 000002
【特許請求の範囲】
【請求項１】
原稿台に置かれた原稿を照明する照明光源と、該照明光源の照明による原稿からの反射光を結像する結像光学素子と、該結像光学素子による結像を受光し電気信号に変換する光電変換素子と、前記結像光学素子に前記反射光を導く反射部材とを備えてなる画像読取装置において、
前記照明光源と前記反射部材とを、透明基板に一体に形成すると共に、該透明基板に前記原稿を照明する照射口を備えたことを特徴とする画像読取装置。
【請求項２】
請求項１記載の画像読取装置において、
前記透明基板の一面側に前記反射部材を備え、該一面と直交する端面に前記透明基板内に照射する照明光源を備えたことを特徴とする画像読取装置。
【請求項３】
請求項１記載の画像読取装置において、
前記透明基板の一面側に前記反射部材を備え、該一面と向かい合う側の面に前記透明基板内に照射する照明光源を備えたことを特徴とする画像読取装置。
【請求項４】
請求項１記載の画像読取装置において、
前記透明基板は、略台形をなすことを特徴とする画像読取装置。
【請求項５】
請求項１〜請求項４の何れかに記載の画像読取装置において、
前記透明基板は、前記照射口を、前記反射部材よりも前記原稿面に近い位置に備えたことを特徴とする画像読取装置。
【請求項６】
請求項１〜請求項５の何れかに記載の画像読取装置において、
前記照射口は、平面状であることを特徴とする画像読取装置。
【請求項７】
請求項１〜請求項５の何れかに記載の画像読取装置において、
前記照射口は、前記透明基板の長手方向と直交する方向に正の曲率を備えたことを特徴とする画像読取装置。
【請求項８】
請求項１〜請求項７の何れかに記載の画像読取装置において、
前記照明光源は、有機エレクトロルミネッセンスであることを特徴とする画像読取装置。
【請求項９】
請求項１〜請求項８の何れかに記載の画像読取装置を用いたことを特徴とする画像形成装置。
【発明の詳細な説明】
【技術分野】
【０００１】
本発明は、照明ユニットおよびそれを用いた画像読取装置、画像形成装置に関し、特に、部品点数の削減、小型化を実現し、効率よく原稿面を照明する照明ユニットおよびそれを用いた画像読取装置、画像形成装置に関する。
【背景技術】
【０００２】
デジタル複写機、ファクシミリ等の画像読取装置、画像形成装置では、原稿面近傍を走査しつつ原稿面を照明する「照明ユニット」を使用するのが一般的である。そして、原稿面からの反射光をライン状に素子を配列した撮像素子（光電変換素子）上に結像させ、原稿面の情報を画像情報として読取る。
【０００３】
この照明ユニットの照明手段としては、一般的にキセノンランプ、ハロゲンランプ等の管灯を使用する。キセノンランプ等は、消費電力が大きく、また、発熱が大きいことから画像読取装置や画像形成装置等の装置全体の温度を上昇させてしまう。この温度上昇は、装置に使用されている光学系の共役関係を崩し、装置内の光電変換素子（撮像素子）に対しピントがずれて結像するので、良好な画像が得られなくなる、ということが画像の精緻化を求められる画像読取装置等では問題になってきた。
【０００４】
そこで、キセノンランプ等の管灯に替わる、消費電力と発熱の少ない新しい照明光源が必要になってきた。消費電力と発熱の少ない照明光源としてＬＥＤが挙げられるが、ＬＥＤは点光源であるために、拡散や集光のための付随する光学系が必要となる。この光学系への対策の従来技術として、例えば、特許文献１では、ＬＥＤを一列に並べ、導光体を通して、原稿を照明する照明ユニットが示されている。
【０００５】
また、特許文献２では、配列したＬＥＤの前に長尺のレンズ系を配置して、ＬＥＤの配列と直交する方向への照明の集光度を高くする照明ユニットが示されている。しかし、特許文献１や２に示された手段では、ＬＥＤを用いた光学系の大型化や部品点数の増加をもたらし、更には調整工数の増加、コストアップが問題となる。
このＬＥＤに替わる照明光源として、有機エレクトロルミンネッセンス（Organic  electro  luminescence、有機ＥＬ）用いた照明ユニットが提案されている。
有機ＥＬを用いた照明ユニットとして、特許文献３では、２つの面光源を近接配置して原稿面を照明し、２つの面光源の間に空隙を設けて、その空隙から原稿面情報を読取る技術が開示されている。
【０００６】
また、特許文献４では、面光源の上に反射部材を配置して原稿情報を読取る位置の照明光量を増やし、照明効率を上げている。また、特許文献５では、面光源の発光面上に微小プリズムを多数形成し、発光方向の志向性を高めて原稿面を照らし、小型化および安定した照明を目指している。
【０００７】
【特許文献１】特開２００６−０２５３０３号公報
【特許文献２】特開２００５−２７８１３２号公報
【特許文献３】特開２０００−１１５４７０号公報
【特許文献４】特開２００７−１３９１３号公報
【特許文献５】特開平６−２１７０８３号公報
【特許文献６】特開２００６−６０５２８号公報
【発明の開示】
【発明が解決しようとする課題】
【０００８】
しかしながら、前記特許文献３の技術では、面光源からの照明光は、発光面の中心部が最も明るくなるが、実際に原稿を読取る位置は、照明光の弱い発光面の端部になってしまう。そのため、原稿を読取るために使われる光量は、発光面からの光量の一部になり、照明効率が非常に悪い。
また、一般的に発光面はランバートな配光分布であると仮定でき、原稿面に照射される光量を考えると、原稿面までの距離の二乗に反比例して暗くなっていく。そのため、前記特許文献４では、発光面が原稿読取位置から離れているので、原稿面上の照度は暗くなり易く、反射部材に集光する場合は、反射部材の位置調整により原稿面の照度ムラが発生するなど、調整が難しい。さらには照明系自体が大きくなり、照明ユニットの小型化が難しい。
【０００９】
前記特許文献５では、微小なプリズムを多数形成する場合、製造コストが高くなり、また、プリズムを形成することにより、原稿面から照明ユニットが離れてしまうため、原稿面照度が暗くなり、効率よく照明することが難しい。
なお、特許文献６には、原稿を載せるコンタクトガラスに面発光光源を直に配置する照明ユニットが開示されているが、照明ユニットがコンタクトガラスと一体であるために、コンタクトガラスの下を照明ユニットが走査するような画像読取装置（図１を用いて後述する）では用いることが出来ない。
【００１０】
本発明は上記の問題を解決すべくなされたものであり、部品点数の削減、小型化を実現し、効率よく原稿面を照明する照明ユニットおよびそれを用いた画像読取装置、画像形成装置の提供を目的とする。
【課題を解決するための手段】
【００１１】
この目的を達成するために請求項1記載の発明は、原稿台に置かれた原稿を照明する照明光源と、該照明光源の照明による原稿からの反射光を結像する結像光学素子と、該結像光学素子による結像を受光し電気信号に変換する光電変換素子と、前記結像光学素子に前記反射光を導く反射部材とを備えてなる画像読取装置において（図１参照）、
前記照明光源と前記反射部材とを、透明基板に一体に形成すると共に、該透明基板に前記原稿を照明する照射口を備えたことを特徴とする（図３〜図５参照）。
【００１２】
また、請求項２記載の発明は、請求項１記載の画像読取装置において、
前記透明基板の一面側に前記反射部材を備え、該一面と直交する端面に前記透明基板内に照射する照明光源を備えたことを特徴とする（図３、図４参照）。
また、請求項３記載の発明は、請求項１記載の画像読取装置において、
前記透明基板の一面側に前記反射部材を備え、該一面と向かい合う側の面に前記透明基板内に照射する照明光源を備えたことを特徴とする（図５参照）。
【００１３】
また、請求項４記載の発明は、請求項１記載の画像読取装置において、
前記透明基板は、略台形をなすことを特徴とする（図５参照）。
また、請求項５記載の発明は、請求項１〜請求項４の何れかに記載の画像読取装置において、
前記透明基板は、前記照射口を、前記反射部材よりも前記原稿面に近い位置に備えたことを特徴とする（図３〜図５参照）。
【００１４】
また、請求項６記載の発明は、請求項１〜請求項５の何れかに記載の画像読取装置において、
前記照射口は、平面状であることを特徴とする（図３参照）。
また、請求項７記載の発明は、請求項１〜請求項５の何れかに記載の画像読取装置において、
前記照射口は、前記透明基板の長手方向と直交する方向に正の曲率を備えたことを特徴とする（図４，図５参照）。
【００１５】
また、請求項８記載の発明は、請求項１〜請求項７の何れかに記載の画像読取装置において、
前記照明光源は、有機エレクトロルミネッセンスであることを特徴とする。
また、請求項９記載の発明は、画像形成装置に、請求項１〜請求項８の何れかに記載の画像読取装置を用いたことを特徴とする。
【発明の効果】
【００１６】
請求項１記載の発明によれば、照明光源と反射部材とを一体化することにより、構成要素を簡素化でき、画像読取装置として小型化を達成できる。
また、請求項２記載の発明によれば、透明基板の一面側に反射部材を形成し、該一面側に直交した端部に透明基板内に照射する照明光源を備えることにより、透明基板で照射光を導光して原稿面上に照射することにより、原稿面を効率よく照明することが可能となる。
【００１７】
また、請求項３記載の発明によれば、照明光源の発光面の面積を反射部材と同程度の面積にすることが可能となり、照明光量を向上することが可能となる。
また、請求項４記載の発明によれば、透明基板の断面形状を原稿面側に向かって大きくなる台形形状とすることにより、照明光源からの光を容易に原稿面側に導くことが可能となる。
また、請求項５記載の発明によれば、照射口を、反射部材よりも原稿面に近い位置に備えたことにより、原稿を効率よく照明することが可能となる。
また、請求項６記載の発明によれば、照射口を平面状にすることにより、透明基板の構成を単純にすることができる。
【００１８】
また、請求項７記載の発明によれば、照射口に曲率を持たせることにより、原稿読取位置に効率よく照明光を集めることが可能となり、照明効率を増加し、消費電力を低下することも可能となる。
また、請求項８記載の発明によれば、照明光源を有機ＥＬとすることにより、透明基板上に容易に形成でき、透明基板を導光部材として用いることが容易になる。
また、請求項９記載の発明によれば、請求項１〜請求項８の何れかに記載の画像読取装置を用いることにより、画像形成装置の小型化および低コスト化、低消費電力化を達成できる。
【発明を実施するための最良の形態】
【００１９】
以下、本発明の第１〜第３の実施形態を説明するに先立ち、各実施形態を適用する「従来の画像読取装置」と「従来の画像形成装置」を、図面に基いて説明する。
［従来の画像読取装置］
図１は、後述する第１〜第３の実施形態の「照明ユニット」を適用する「従来の画像読取装置」の断面図である。第１〜第３の実施形態の「照明ユニット」は、次に説明する第1走行体３に配置された照明光源（管灯３Ａ）と、反射ミラー（リフレクタ３Ｂ）とを置き換えたものである（図３〜図５を用いて後述）。
【００２０】
図１に示すように、読み取られるべき画像を有する原稿２は、「原稿台」としてのコンタクトガラス１上に平面的に定置され、コンタクトガラス１の下部に照明手段を配置する。照明手段としては、図面に直交する方向に長い管灯３Ａ（キセノンランプ、ハロゲンランプ等）、およびリフレクタ３Ｂで構成される照明ユニットを用い、「図面に直交する方向に長いスリット状の原稿部分」を照明させる。
【００２１】
原稿２の照明された部分からの反射光（原稿画像による反射光）は、第１走行体３に設けられた第１ミラー３Ｃにより反射された後、第２走行体４に設けられた第２ミラー４Ａ、第３ミラー４Ｂにより順次反射され、画像読取レンズ５を透過し、光電変換素子としてのラインセンサ６の撮像面上に原稿画像の縮小像として結像する。第１〜第３ミラー３Ｃ、４Ａ、４Ｂは、「反射光学系」を構成する。
【００２２】
第１走行体３、第２走行体４は、不図示の駆動手段により、それぞれ矢印方向（図の右方）へ走行させられる。第１走行体３の走行速度は「Ｖ」であり、第２走行体４の走行速度は「Ｖ／２」である。この走行により、第１走行体３、第２走行体４は、それぞれ「破線で示す位置」まで変位する。
照明ユニット３Ａ、３Ｃは、第１走行体３と一体的に移動し、コンタクトガラス１上の原稿２の全体を「照明走査」する。
第１、第２走行体の移動速度比は、「Ｖ：Ｖ／２」であるので「照明走査される原稿部分から画像読取レンズ５に至る光路長」は不変に保たれる。
【００２３】
「撮像部」であるラインセンサ６は、「色分解手段として赤（Ｒ）、緑（Ｇ）、青（Ｂ）のフィルタを持った光電変換素子（６Ａ、６Ｂ、６Ｃ）を、１チップに３列に配列させた３ラインＣＣＤ（３ラインのラインセンサ）」であり、原稿２の照明走査に伴い、原稿画像を画像信号化する。このようにして原稿２の読取りが実行され、原稿２のカラー画像は、赤、緑、青の３原色に色分解して読み取られる。
また、この画像読取装置は、画像をフルカラーで読取る装置であって、画像読取レンズ５の結像光路中に設けられた「色分解手段（前記３ラインＣＣＤに設けられた赤、緑、青のフィルタ）」を有する。
【００２４】
なお、画像読取装置の他の形態として、「コンタクトガラス上の原稿をスリット状に照明する照明手段と、ラインセンサと、原稿の被照明部からラインセンサに至る結像光路を形成する複数のミラーと、上記結像光路上に配置される画像読取レンズと」を相互に一体化した読取ユニットを、駆動手段により原稿に相対的に走行させることにより、原稿を読取走査するようにした形態のものとすることもできる。
また、「色分解」は、上記とは別に、画像読取レンズとラインセンサ（ＣＣＤ）との間に色分解プリズムやフィルタを選択的に挿入し、Ｒ（赤）、Ｇ（緑）、Ｂ（青）に色分解する方法や、「Ｒ、Ｇ、Ｂの光源を順次点灯させ原稿を照明する方法」を用いることができる。
【００２５】
［従来の画像形成装置］
図２は、図１を用いて説明済みの「従来の画像読取装置」を適用した「従来の画像形成装置」の断面図である。
図２に示すように、「従来の画像形成装置」２００は、装置上部に位置する画像読取装置１００と、その下位に位置する画像形成部２００Ａとを有する。画像読取装置１００は、前記図１にて説明したものと同一であり、同一部材には同一符号を付す。
【００２６】
画像読取装置１００の３ラインのラインセンサ６から出力される画像信号は、画像形成部２００Ａの画像処理部２１０に送られて処理され、「書込み用の信号（イエロー・マゼンタ・シアン・黒の各色を書込むための信号）」に変換される。
画像形成部２００Ａは、「潜像担持体」として円筒状に形成された光導電性の感光体２２０を備え、その周囲に、帯電手段としての帯電ローラ２２１、リボルバ式の現像装置２２２、転写ベルト２２３、クリーニング装置２２４が配設されている。帯電手段としては、帯電ローラ２２１に代えて、「コロナチャージャ」を用いることもできる。
【００２７】
信号処理部２１０から書込み用の信号を受けて、光走査により感光体２２０に書込みを行う光走査装置２３０は、帯電ローラ２２１と現像装置２２２との間において感光体２２０の光走査を行う。
符号２４１は定着装置、符号２４２はレジストローラ対、符号２４３は給紙コロ、符号２５０はカセット、符号２６０はトレイ、符号Ｓは、「記録媒体」としての転写紙を示している。
【００２８】
画像形成を行うときは、光導電性の感光体２２０が時計回りに等速回転され、その表面が帯電ローラ２２１により均一帯電され、光走査装置２３０のレーザビームの光書込による露光を受けて静電潜像が形成される。形成された静電潜像は、所謂「ネガ潜像」であって、画像部が露光されている。
「画像の書込み」は、感光体２２０の回転に従い、イエロー画像、マゼンタ画像、シアン画像、黒画像の順に行われ、形成された静電潜像は、リボルバ式の現像装置２２２の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により、順次反転現像されてポジ画像として可視化される。得られた各色トナー画像は、転写ベルト２２３上に、転写電圧印加ローラ２２５により順次転写され、上記各色トナー画像が転写ベルト２２３上で重ね合わせられてカラー画像となる。
【００２９】
転写紙Ｓを収納したカセット２５０は、画像形成装置本体に脱着可能であり、図のごとく装着された状態において、収納された転写紙Ｓの最上位の１枚が給紙コロ２４３により給紙され、給紙された転写紙Ｓはその先端部をレジストローラ対２４２に捕えられる。
レジストローラ対２４２は、転写ベルト２２３上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ２２６の作用によりカラー画像を静電転写される。転写ローラ２２６は、転写時に転写紙Ｓをカラー画像に押圧させる。
【００３０】
カラー画像を転写された転写紙Ｓは、定着装置２４１へ送られ、定着装置２４１においてカラー画像を定着され、不図示のガイド手段による搬送路を通り、不図示の排紙ローラ対によりトレイ２６０上に排出される。各色トナー画像が転写されるたびに、感光体２２０の表面はクリーニング装置２２４によりクリーニングされ、残留トナーや紙粉等が除去される。
なお、画像形成部の構成は、周知の単色画像形成用の構成に変えることができる。
【００３１】
＜第1の実施形態＞
図３（Ａ），（Ｂ）は、第1の実施形態の「照明ユニット」を示す図であって、（Ａ）は斜視図、（Ｂ）はＩ−Ｉ線に沿う断面図である。この照明ユニットは、前記図１の画像読取装置における第1走行体３に配置された「照明光源（管灯３Ａ）および反射ミラー（リフレクタ３Ｂ）」に、置き換えて使用する。なお、後に説明する「第２、第３の実施形態」の照明ユニット１０Ｂ、１０Ｃも、同様に置き換えて使用する。
【００３２】
図３（Ａ），（Ｂ）に示すように、第１の照明ユニット１０は、平面状の透明基板（ガラス基板）１１の表面に、アルミニウムの反射面１２を蒸着し、反射面１２に直交した端面に有機ＥＬ（１３）を形成したものである。有機ＥＬ（１３）は透明基板１１側から陽極層、ホール注入輸送層、発光層、電子注入層、陰極層を形成し、さらに傷や湿度から各層を保護する保護層を形成している。ホール輸送層と、発光層、電子注入層は、いずれも有機材料で形成される。
【００３３】
電子輸送層に用いられる代表的な材料は、オキサジアゾール誘導体やトリアゾール誘導体等である。発光層に用いられる材料は、一般的に低分子化合物による蒸着薄膜材料と高分子系のポリマー薄膜材料に大別される。低分子化合物による発光層は、さらに芳香族環化合物、複素環化合物、特殊元素含有化合物に大別される。
芳香族環化合物としては、青色発光材料の代表的な化合物であるジスチリルベンゼン誘導体などがあり、複素環化合物としては、金属錯体系の8-ヒドロキシキノリンのアルミニウム錯体（Alq錯体）による有機蛍光体などが知られている。
【００３４】
また、特殊元素含有化合物としては、Alq錯体の誘導体の一種で、ヒドロキシキノリンの1つがトリフェニルシリカノール（Si化合物）に置換されて配位している混合配位子錯体が青緑色発光層として用いられている。
また、１つの発光層から出た光を次の層に設置した蛍光体で色変換することで、白色光を得ることができる。それとは別に、異なる波長の光を発する発光層を複数重ねて白色光を得ることもでき、本実施形態においては、その他種々の方法で得られる白色光源を用いることも可能である。
【００３５】
正孔輸送層に用いられる代表的な材料は、銅フタロシアニンなどのフタロシアニン系化合物や芳香族アミン系化合物等である。
陽極層は、ＩＴＯ（透明導電膜）のような透明電極が使用される。陰極から電子の注入が行われるため、電極材料にはマグネシウムなどの仕事関数の小さな金属が使用されている。その場合、接着性を増すために少量の銀と共蒸着される場合が多い。その他の電極としては、共役ポリマーからなる有機電極などがある。また、透明電極を酸により表面処理して形成することもできる。
陰極層は、陽極層と同様に透明電極でも可能であるが、金属電極を用いて、発光層で発する光を金属面で反射させて、ガラス基板の反対側には照射させないようにする工夫が必要である。
【００３６】
また、前記反射面１２と有機ＥＬ（１３）と、照射部（照射面）１４を除いた透明基板１１の外周部には、導光するための導光用反射部材１５を形成している。導光用反射部材１５は、前記反射面１２と同じく蒸着して形成してもよいし、反射率の高いシール部材でもよい。導光用反射部材１５を用いることにより、画像読取装置内に余分な光が漏れるのを防ぐことが可能となる。
光源素子である有機ＥＬ（１３）から照射された光は、透明基板１１内を導光して平面状の照射部１４から原稿面上を照明する。
【００３７】
＜第２の実施形態＞
図４（Ａ），（Ｂ）は、第２の実施形態の「照明ユニット」を示す図であって、（Ａ）は斜視図、（Ｂ）はＩＩ−ＩＩ線に沿う断面図である。
本実施形態の第２の照明ユニット１０Ｂは、前記第１の照明ユニット１０Ａの照射面１４に曲率を持たせ、照射部１４Ａとしたものである。このように構成することにより、原稿２を読取る位置に光を集め、効率よく照明することが可能となる。
【００３８】
＜第３の実施形態＞
図５は、第３の実施形態の「照明ユニット」の断面図である。
図５に示すように、透明基板１１Ｂの断面形状は、原稿面側に向かって大きくなるように台形形状としている。
第３の照明ユニット１０Ｃは、有機ＥＬ（光源素子）１３Ａを、反射面１２と相対する側に形成する。また、透明基板１１Ｂの左右端部には導光用反射部材１５Ａと導光用反射部材１５Ｂとを設ける。
【００３９】
このように、有機ＥＬ（１３Ａ）を反射面１２の相対する側に形成することにより、透明基板１１Ｂの形状を必要以上に大きくすることなく、反射面１２とほぼ同じ面積にすることが可能となり、照明光量を増やすことができる。また、透明基板１１Ｂの断面形状を原稿面側に向かって大きくなるような台形形状とすることにより、容易に原稿面側に照射光を導くことが可能となる。
なお、第３の実施形態において、照射部１４Ａを平面状（図３参照）にしてもよい。また、有機ＥＬ（１３Ａ）を導光用反射部材１５Ｂの位置に設けることも可能であり、この場合は有機ＥＬ（１３Ａ）の箇所には導光用反射部材を設ける。
【００４０】
なお、前記第１〜第３の実施形態に使用する透明基板は、ガラス基板ではなく透明樹脂基板を用いても構わない。透明樹脂基板であれば、射出形成、プレス形成等、種々の方法を用いて、前記透明基板の種々の形状（照射部の曲率、台形など）を、容易に形成することが可能となる。
【図面の簡単な説明】
【００４１】
【図１】第１〜第３の実施形態の「照明ユニット」を適用する「従来の画像読取装置」の断面図である。
【図２】前記「従来の画像読取装置」を適用した「従来の画像形成装置」の断面図である。
【図３】本発明の第1の実施形態の「照明ユニット」を示す図であって、（Ａ）は斜視図、（Ｂ）はＩ−Ｉ線に沿う断面図である。
【図４】図４（Ａ），（Ｂ）は、本発明の第２の実施形態の「照明ユニット」を示す図であって、（Ａ）は斜視図、（Ｂ）はＩＩ−ＩＩ線に沿う断面図である。
【図５】本発明の第３の実施形態の「照明ユニット」の断面図である。
【符号の説明】
【００４２】
１…コンタクトガラス
２…原稿
３…第１走行体
４…第２走行体
５…画像読取レンズ
６…ラインセンサ（光電変換素子）
１０Ａ…第１の照明ユニット
１０Ｂ…第２の照明ユニット
１０Ｃ…第３の照明ユニット
１１〜１１Ｂ…透明基板
１２…反射面
１３，１３Ａ…有機ＥＬ
１４…照射面
１４Ａ…照射部
１５，１５Ａ，１５Ｂ…導光用反射部材
１００…従来の画像読取装置
２００…従来の画像形成装置
２００Ａ…従来の画像形成部
【図１】
2009218705.tif 000003
【図２】
2009218705.tif 000004
【図３】
2009218705.tif 000005
【図４】
2009218705.tif 000006
【図５】
2009218705.tif 000007